(57)【要約】【課題】一の管理装置により印刷機に記憶させた設定情報が他の管理装置によって上書きされるのを抑制可能とする。【解決手段】印刷ジョブを実行することで印刷媒体に画像を印刷する印刷実行部と、印刷実行部に設定される設定情報を記憶可能な設定情報記憶部と、設定情報記憶部に記憶された設定情報のうち、印刷ジョブの実行対象となる印刷媒体の媒体種に応じた設定情報を印刷実行部に設定する設定制御部と、を備え、設定情報記憶部を管理装置毎に複数有し、設定制御部は、指定された管理装置に対応する設定情報記憶部から設定情報を読み出し、印刷実行部に設定して印刷ジョブを実行する。【選択図】図６
2018079654.tif 000002
【特許請求の範囲】
【請求項１】
印刷ジョブを実行することで印刷媒体に画像を印刷する印刷実行部と、
前記印刷実行部に設定される設定情報を記憶可能な設定情報記憶部と、
前記設定情報記憶部に記憶された前記設定情報のうち、前記印刷ジョブの実行対象となる前記印刷媒体の前記媒体種に応じた前記設定情報を前記印刷実行部に設定する設定制御部と、
を備え、
前記設定情報記憶部を前記管理装置毎に複数有し、
前記設定制御部は、指定された前記管理装置に対応する前記設定情報記憶部から前記設定情報を読み出し、前記印刷実行部に設定して前記印刷ジョブを実行する、
印刷機。
【請求項２】
前記印刷ジョブの実行対象となる前記記録媒体の前記媒体種に応じた前記設定情報を指定する設定情報指定を、前記印刷ジョブを生成する外部のジョブ生成装置から受信する受信部をさらに備え、
前記設定制御部は、前記設定情報指定により指定された前記設定情報を前記印刷実行部に設定する請求項１に記載の印刷機。
【請求項３】
前記受信部は、前記ジョブ生成装置から前記管理装置を介して前記設定情報指定を受信する請求項２に記載の印刷機。
【請求項４】
前記各設定情報記憶部は、前記管理装置毎に前記設定情報を記憶可能な複数の記憶領域を有し、複数の記憶領域は、互いに異なる前記媒体種に対応する前記設定情報を記憶する請求項１ないし３のいずれか一項に記載の印刷機。
【請求項５】
前記各設定情報記憶部は、さらに同一の前記媒体種且つ異なる前記設定情報を記憶する請求項４に記載の印刷機。
【請求項６】
前記管理装置からの設定情報の記憶を要求する記憶要求に応じて、前記記憶要求の対象である前記設定情報を前記設定情報記憶部に記憶させる記憶制御部をさらに備える請求項１ないし５のいずれか一項に記載の印刷機。
【請求項７】
管理装置毎に設けられた複数の設定情報記憶部に記憶された設定情報のうち、印刷ジョブの実行対象となる印刷媒体の媒体種に応じた前記設定情報を印刷実行部に設定する工程と、
設定された前記設定情報に基づき前記印刷実行部が前記印刷ジョブを実行することで、前記印刷媒体に画像を印刷する工程と、
前記設定情報の記憶を要求する記憶要求を前記管理装置から受け付ける工程と、
前記複数の設定情報記憶部のうち前記記憶要求の発信元である前記管理装置に対応する前記設定情報記憶部に、前記記憶要求の対象である前記設定情報を記憶させる工程と、
を備える印刷方法。
【発明の詳細な説明】
【技術分野】
【０００１】
この発明は、印刷実行部が印刷ジョブの実行に用いる設定情報を記憶するための技術に関する。
【背景技術】
【０００２】
従来、印刷機は外部から受信した印刷ジョブを実行することで、印刷媒体に画像を印刷する。この際、印刷ジョブが示す画像を適切に印刷するためには、印刷ジョブに応じた設定情報に基づき印刷機に印刷ジョブを実行させる必要がある。例えば特許文献１では、印刷ジョブには、当該印刷ジョブの実行に用いる処理条件情報を識別するＩＤが付加され、画像形成装置には、複数の処理条件情報がそれぞれのＩＤに対応付けられて記憶されている。そして、画像形成装置は、受信した印刷ジョブが示すＩＤに対応付けられた処理条件情報を用いて印刷ジョブを実行する。
【先行技術文献】
【特許文献】
【０００３】
【特許文献１】特許第４８１７９３３号公報
【発明の概要】
【発明が解決しようとする課題】
【０００４】
上述のような設定情報は、印刷媒体の媒体種に応じて異なる。これに対して、多様な媒体種の印刷媒体が各ベンダーから供給される近年では、実行予定の印刷に応じた設定情報が印刷機に記憶されていない場合が考えられる。そこで、印刷機を管理する制御装置によって、新たな設定情報を印刷機に記憶させられることが好適となる。
【０００５】
ただし、複数のユーザーで１台の印刷機を共用するような環境下では、複数のユーザーのそれぞれに制御装置が用意される状況が想定される。この際、複数の制御装置のそれぞれが任意に新たな設定情報を印刷機に記憶させられると、一の管理装置によって印刷機に記憶させた設定情報が、他の管理装置によって上書きされてしまい、印刷機に記憶される設定情報の管理が困難となるおそれがあった。
【０００６】
この発明は、上記課題に鑑みなされたものであり、管理装置からの要求に応じて記憶させた設定情報に基づき印刷機に印刷ジョブを実行させるにあたり、一の管理装置により印刷機に記憶させた設定情報が他の管理装置によって上書きされるのを抑制可能とする技術の提供を目的とする。
【課題を解決するための手段】
【０００７】
本発明に係る印刷機は、印刷ジョブを実行することで印刷媒体に画像を印刷する印刷実行部と、印刷実行部に設定される設定情報を記憶可能な設定情報記憶部と、設定情報記憶部に記憶された設定情報のうち、印刷ジョブの実行対象となる印刷媒体の媒体種に応じた設定情報を印刷実行部に設定する設定制御部と、を備え、設定情報記憶部を管理装置毎に複数有し、設定制御部は、指定された管理装置に対応する設定情報記憶部から設定情報を読み出し、印刷実行部に設定して印刷ジョブを実行する。
【０００８】
本発明に係る印刷方法は、管理装置毎に設けられた複数の設定情報記憶部に記憶された設定情報のうち、印刷ジョブの実行対象となる印刷媒体の媒体種に応じた設定情報を印刷実行部に設定する工程と、設定された設定情報に基づき印刷実行部が印刷ジョブを実行することで、印刷媒体に画像を印刷する工程と、設定情報の記憶を要求する記憶要求を管理装置から受け付ける工程と、複数の設定情報記憶部のうち記憶要求の発信元である管理装置に対応する設定情報記憶部に、記憶要求の対象である設定情報を記憶させる工程と、を備える。
【０００９】
このように構成された本発明（印刷機、印刷方法）では、設定情報を記憶可能な設定情報記憶部が管理装置毎に設けられている。こうして管理装置毎に設定情報記憶部を設けることで、一の管理装置により印刷機に記憶させた設定情報が他の管理装置によって上書きされるのを抑制可能となっている。
【００１０】
また、印刷ジョブの実行対象となる記録媒体の媒体種に応じた設定情報を指定する設定情報指定を、印刷ジョブを生成する外部のジョブ生成装置から受信する受信部をさらに備え、設定制御部は、設定情報指定により指定された設定情報を印刷実行部に設定するように、印刷機を構成しても良い。かかる構成では、受信部が受信した設定情報指定に従って、媒体種に応じた適切な設定情報で印刷ジョブを実行することができる。
【００１１】
この際、受信部は、ジョブ生成装置から管理装置を介して設定情報指定を受信するように、印刷機を構成しても良い。あるいは、受信部は、ジョブ生成装置から他の装置を介さずに設定情報指定を受信するように、印刷機を構成しても良い。
【００１２】
また、各設定情報記憶部は、管理装置毎に設定情報を記憶可能な複数の記憶領域を有し、複数の記憶領域は、互いに異なる媒体種に対応する設定情報を記憶するように、印刷機を構成しても良い。かかる構成では、複数の記憶領域に記憶された異なる媒体種に対応する設定情報を用いて、多様な媒体種の印刷媒体に対して適切に印刷ジョブを実行できる。
【００１３】
この際、各設定情報記憶部は、さらに同一の媒体種且つ異なる設定情報を記憶するように、印刷機を構成しても良い。
【００１４】
また、管理装置からの設定情報の記憶を要求する記憶要求に応じて、記憶要求の対象である設定情報を設定情報記憶部に記憶させる記憶制御部をさらに備えるように、印刷機を構成しても良い。
【図面の簡単な説明】
【００１５】
【図１】本発明に係る印刷機を備えた印刷システムの一例を示すブロック図。
【図２】印刷機の印刷実行部の一例を模式的に示す図。
【図３】印刷機が備える電気的構成の一例を示すブロック図。
【図４】印刷機の設定情報記憶部の構造の一例を模式的に示す図。
【図５】印刷処理で実行されるフローの一例を示す図。
【図６】設定情報記憶部に設定情報を記憶するための動作を示すフローチャート。
【発明を実施するための形態】
【００１６】
図１は本発明に係る印刷機を備えた印刷システムの一例を示すブロック図である。この印刷システム１はＲＩＰ(Raster Image Processor)２、印刷機３および管理用コンピューター４を備え、これらがネットワーク５（例えばローカル・エリア・ネットワーク）で接続されている。この印刷システム１では、ＲＩＰ２が印刷ジョブＪを生成するとともに印刷機３が印刷ジョブＪを実行することで、印刷ジョブＪの示す画像が印刷される（印刷処理）。また、管理用コンピューター４は、ＲＩＰ２および印刷機３による印刷処理を制御するために設けられる。なお、図１の例では、複数（２台）のＲＩＰ２と、複数（２台）の管理用コンピューター４とが設けられている。以下では、これらＲＩＰ２を区別するにあたって、符号２Ａ、２Ｂを適宜用いるとともに、これら管理用コンピューター４を区別するにあたって、符号４Ａ、４Ｂを適宜用いることとする。
【００１７】
ＲＩＰ２は印刷ジョブＪを生成し、この印刷ジョブＪに対してＩＣＣ(International Color Consortium)プロファイルを用いたカラーマネジメント処理を実行する。さらにＲＩＰ２は、カラーマネジメント処理後の印刷ジョブＪをラスタライズする。こうしてラスタライズされた印刷ジョブＪ（ラスターデータ）が、ＲＩＰ２から印刷機３に送信される。そして、印刷機３は、受信した印刷ジョブＪを実行して、印刷ジョブＪが示す画像を印刷媒体に印刷する。
【００１８】
図２は印刷機の印刷実行部の一例を模式的に示す図である。印刷機３の印刷実行部３１はロール・トゥ・ロールで搬送方向Ｘに印刷媒体Ｍを搬送する搬送手段３１１を有する。この搬送手段３１１は、印刷媒体Ｍの搬送方向Ｘに順に並ぶ繰出ローラー３１２、一対のローラー３１３、３１４および巻取ローラー３１５を有する。繰出ローラー３１１は、ロール状に巻き付けられた印刷媒体Ｍを搬送方向Ｘに繰り出す。一対のローラー３１３、３１４は巻取ローラー３１５により繰り出された印刷媒体Ｍを挟み込む。ローラー３１４はローラー３１３に付勢されており、印刷媒体Ｍに一定の荷重を与える一方、ローラー３１３は所定のトルクを印刷媒体Ｍに加えることで印刷媒体Ｍに一定のテンションを与えつつ印刷媒体Ｍを搬送方向Ｘに搬送する。そして、巻取ローラー３１５が一対のローラー３１３、３１４から印刷媒体Ｍを巻き取る。
【００１９】
また、印刷機３は、繰出ローラー３１２とローラー３１３との間で、搬送方向Ｘに順に並ぶプリヒーター３１６、プラテンヒーター３１７およびアフターヒーター３１８を有し、これらの上面に接する印刷媒体Ｍを加熱する。さらに、印刷機３は、所定のプラテンギャップｇを空けてプラテンヒーター３１７に対向する印刷ヘッド３１９を有する。この印刷ヘッド３１９はプラテンヒーター３１７に支持される印刷媒体Ｍに対してインクジェット方式でインクを吐出する。
【００２０】
かかる印刷機３では、搬送手段３１１が印刷媒体Ｍを搬送方向Ｘへ間欠的に搬送することで、印刷媒体Ｍの未印刷領域をプラテンヒーター３１７上に送り出す。そして、印刷ヘッド３１９は、搬送方向Ｘに直交する走査方向Ｙに移動しつつインクを吐出する主走査を実行する。この際、印刷ヘッド３１９が主走査を実行する回数（パス数）は適宜設定が可能であり、印刷ヘッド３１９は設定されたパス数だけ主走査を実行することで、プラテンヒーター３１７に停止する印刷媒体Ｍに画像を印刷する。また、複数の主走査の実行間隔を調整することで、先の主走査で印刷媒体Ｍに着弾したインクのプラテンヒーター３１７による乾燥時間が制御される。
【００２１】
図３は印刷機が備える電気的構成の一例を示すブロック図である。印刷機３は、図２に示した印刷実行部３１の他に、ＵＩ(User Interface)３２、入出力部３３、記憶手段３４および制御手段３５をさらに備える。ＵＩ３２は例えばタッチパネルで構成され、ユーザーからの入力操作を受け付けたり、ユーザーに情報を表示（報知）したりする。入出力部３３は、ＲＩＰ２や管理用コンピューター４等の外部装置との通信を行うインターフェースである。記憶手段３４は、ハード・ディスク・ドライブ等で構成され、印刷機３で使用される各種のデータや情報を記憶する。制御手段３５は、ＣＰＵ(Central Processing Unit)およびＲＡＭ(Random Access Memory)等で構成されたコンピューターであり、印刷機３の全体を統括的に制御する。
【００２２】
なお、記憶手段３４では図３に示すように、複数（２個）の設定情報記憶部３４１が構築され、制御手段３５では、設定制御部３５１および記憶制御部３５２が構築されている。ただし、これらについては後に適宜説明することとする。また、後の説明では、２個の設定情報記憶部３４１を区別するにあたって、符号３４１Ａ，３４１Ｂを適宜用いることとする。
【００２３】
図１に戻って説明を続ける。上述のとおり印刷システム１は、ＲＩＰ２および印刷機３を管理用コンピューター４によって制御する。特に管理用コンピューター４は、印刷媒体Ｍの媒体種に応じてＲＩＰ２および印刷機３の動作を制御する。つまり、ＲＩＰ２で実行されるカラーマネジメント処理においては、印刷媒体Ｍの媒体種に応じて使用すべきＩＣＣプロファイルが異なりうる。そこで、管理用コンピューター４は、印刷処理で使用予定の印刷媒体Ｍの媒体種に応じたＩＣＣプロファイルをＲＩＰ２に設定し、ＲＩＰ２は設定されたＩＣＣプロファイルを用いて印刷ジョブＪにカラーマネジメント処理を実行する。ちなみに、ＲＩＰ２と管理用コンピューター４との間の通信は、ＡＰＩ(Application Programming Interface)を介して実行される。
【００２４】
特に本実施形態では、２台の管理用コンピューター４が設けられている。これに対して、各ＲＩＰ２は２台の管理用コンピューター４うちの特定の１台の管理用コンピューター４による制御を受ける。具体的には、ＲＩＰ２は、電源投入後の最初に印刷ジョブＪをネットワーク５に送信するにあたり、ネットワーク５に接続された管理用コンピューター４をブロードキャストあるいはマルチキャストにより探索する。そして、ＲＩＰ２は、２台の管理用コンピューター４Ａ、４Ｂのうち、この探索に最初に応答を返した管理用コンピューター４の管理を受けると決定する。
【００２５】
ここの例では、ＲＩＰ２Ａは管理用コンピューター４Ａの管理を受け、ＲＩＰ２Ｂは管理用コンピューター４Ｂの管理を受けるものとする。この場合、ＲＩＰ２Ａは、印刷ジョブＪの生成に際して、当該印刷ジョブＪの対象となる印刷媒体Ｍの媒体種を管理用コンピューター４Ａに送信する。一方、管理用コンピューター４Ａは、印刷媒体Ｍの媒体種に応じたＩＣＣプロファイルを媒体種毎に記憶しており、ＲＩＰ２Ａから受信した媒体種に応じたＩＣＣプロファイルをＲＩＰ２Ａに設定する。また、ＲＩＰ２Ｂおよび管理用コンピューター４Ｂについても同様である。
【００２６】
ちなみに、印刷媒体Ｍの媒体種を規定する要素としては、
・印刷媒体Ｍの長さ
・印刷媒体Ｍの幅
・印刷媒体Ｍの厚み
・印刷媒体Ｍの単位面積当たりの重量
・印刷媒体Ｍの素材（紙、フィルムあるいはこれらの積層等）
・印刷媒体Ｍの吸水性
・印刷媒体Ｍの色
・印刷媒体Ｍにおける糊の有無
等の物理的構成が挙げられる。つまり、これらの印刷媒体Ｍの物理的構成のいずれかが異なれば、媒体種が異なると取り扱うことができる。
【００２７】
また、印刷機３での印刷においては、次に例示列挙するマシンパラメーター
・印刷媒体Ｍに与えるテンション
・ローラー３１４の荷重
・プラテンギャップｇ
・主走査の実行回数（パス数）
・主走査の実行間隔
・プリヒーター３１６の温度
・プラテンヒーター３１７の温度
・アフターヒーター３１８の温度
等が印刷媒体Ｍの媒体種に応じて異なりうる。
【００２８】
そこで、管理用コンピューター４は、印刷処理で使用予定の印刷媒体Ｍの媒体種に応じたマシンパラメーターを印刷機３に指定し、印刷機３は指定されたマシンパラメーターを用いて印刷ジョブＪを実行する。つまり、図３に示すように、複数（２台）の管理用コンピューター４Ａ、４Ｂに一対一で対応して、複数（２個）の設定情報記憶部３４１Ａ、３４１Ｂが記憶手段３４に設けられており、各設定情報記憶部３４１は、媒体種に応じたマシンパラメーターの値を示す設定情報Ｉｍ（図４）を記憶する。そして、管理用コンピューター４が設定情報Ｉｍを指定すると、印刷機３の設定制御部３５１は、当該管理用コンピューター４に対応する設定情報記憶部３４１から指定対象である設定情報Ｉｍを読み出して、印刷ジョブＪの実行に用いる設定情報Ｉｍ（使用設定情報Ｉｍ）として印刷実行部３１に設定する。かかる設定情報Ｉｍの設定により、印刷実行部３１のマシンパラメーターの各値が当該設定情報Ｉｍの示す値に調整される。
【００２９】
図４は印刷機の設定情報記憶部の構造の一例を模式的に示す図である。各設定情報記憶部３４１は、互いに異なる媒体種Ｍｋに対応する複数の記憶領域Ｒ（Ｒ１〜Ｒ８）を有し、これら記憶領域Ｒに対してはそれぞれを識別するための識別番号ＩＤ（ＩＤ１〜ＩＤ８）が付されている。そして、各記憶領域Ｒには媒体種Ｍｋ、具体的には媒体種Ｍｋを示す媒体種情報Ｉｋ（Ｉｋ１〜Ｉｋ８）と設定情報Ｉｍ（Ｉｍ１〜Ｉｍ８）とが関連付けられて格納されている。この際、媒体種情報Ｉｋとして設定情報記憶部３４１に記憶される内容としては、例えば印刷媒体Ｍの名称、各媒体種Ｍｋを識別するための識別コード、あるいは印刷媒体Ｍの各物理的構成の具体値等が挙げられる。また、印刷媒体Ｍを供給するベンダーを併せて媒体種情報Ｉｋとして記憶しても良い。すなわち、印刷媒体Ｍの媒体種Ｍｋを示す情報を、媒体種情報Ｉｋとして記憶することができる。
【００３０】
また、管理用コンピューター４の記憶手段（不図示）と、対応する設定情報記憶部３４１との記憶内容は同期が取られており、設定情報記憶部３４１の内容が定期的に管理用コンピューター４の記憶手段に反映される。つまり、設定情報記憶部３４１Ａの内容は管理用コンピューター４Ａの記憶手段に反映され、設定情報記憶部３４１Ｂの内容は管理用コンピューター４Ｂの記憶手段に反映される。そして、各管理用コンピューター４は、対応する設定情報記憶部３４１の各設定情報Ｉｍのうち、実行予定の印刷ジョブＪで印刷対象となる印刷媒体Ｍの媒体種Ｍｋに応じた一の設定情報Ｉｍを用いるよう印刷機３に指示する。また、印刷機３は、指示された設定情報Ｉｍに基づき印刷ジョブＪを実行する。
【００３１】
続いては、印刷システム１が実行する印刷処理について、図５を用いてさらに説明する。ここで、図５は印刷処理で実行されるフローの一例を示す図である。印刷処理の開始に伴って、ＲＩＰ２は上述した要領で、カラーマネジメント処理およびラスタライズを順次実行した印刷ジョブＪを生成する（ステップＳ１０１〜Ｓ１０３）。そして、ＲＩＰ２は、生成した印刷ジョブＪの実行対象である印刷媒体Ｍの媒体種Ｍｋを管理用コンピューター４に送信する（ステップＳ１０４）。この際、ＲＩＰ２は、２台の管理用コンピューター４のうち、上述の要領で管理を受けると決めた単一の管理用コンピューター４に媒体種Ｍｋを送信する。また、ＲＩＰ２は、生成した印刷ジョブＪを印刷機３へ送信する（ステップＳ１０５）。なお、ステップＳ１０４、Ｓ１０５の実行順序はこれに限られず、逆でも構わない。
【００３２】
ステップＳ１０６では、管理用コンピューター４は、ＲＩＰ２から受信した媒体種Ｍｋに応じた設定情報Ｉｍの使用を、印刷機３に指示する（設定情報Ｉｍの指定）。具体的には、管理用コンピューター４は、対応する設定情報記憶部３４１内の複数の識別番号ＩＤ１〜ＩＤ８のうち、該当の媒体種Ｍｋに対応する識別番号ＩＤを指定することで、設定情報Ｉｍを指定する。印刷機３では、指定された識別番号ＩＤに対応する設定情報Ｉｍを、設定制御部３５１が印刷実行部３１に使用設定情報Ｉｍとして設定する（ステップＳ１０７）。このステップＳ１０７の使用設定情報Ｉｍの設定では、設定制御部３５１が印刷実行部３１のマシンパラメーターを調整、具体的には印刷媒体Ｍのテンション、プラテンギャップｇあるいはヒーター３２、３３、３４の温度等を調整する。これによって、印刷実行部３１のマシンパラメーターの値が使用設定情報Ｉｍの示す値に調整され、使用設定情報Ｉｍの設定が完了する。こうして、使用設定情報Ｉｍの設定が完了すると、印刷機３は印刷ジョブＪを実行し（ステップＳ１０８）、印刷媒体Ｍに画像が印刷される。
【００３３】
なお、設定情報記憶部３４１の全記憶領域Ｒが互いに異なる媒体種Ｍｋに対応する設定情報Ｉｍを記憶するように構成する必要は無い。つまり、設定情報記憶部３４１では、２個以上の記憶領域Ｒが同一の媒体種Ｍｋに対応する設定情報Ｉｍを記憶することもできる。換言すれば、同一の媒体種Ｍｋに対応するものの、具体的なマシンパラメーターの値が若干異なる複数の設定情報Ｉｍを、別々の記憶領域Ｒに記憶させておくことができる。このような場合には、管理用コンピューター４は、ＲＩＰ２から受信した媒体種Ｍｋに応じた２個以上の設定情報Ｉｍのうち、さらに印刷機３による印刷に適した一の設定情報Ｉｍを指定する。この指定は、ユーザーの管理用コンピューター４の入力操作に基づき実行することができる。
【００３４】
ところで、上記の印刷システム１では、各管理用コンピューター４を介して、印刷機３の設定情報記憶部３４１に設定情報Ｉｍを記憶させることができる。続いては、図６を用いてこの点について説明する。図６は印刷機の設定情報記憶部に設定情報を記憶するための動作の一例を示すフローチャートである。ステップＳ２０１では、入出力部３３が管理用コンピューター４からの記憶要求を受信したかを、印刷機３の記憶制御部３５２が判断する。そして、記憶要求の受信が確認されると（ステップＳ２０１で「ＹＥＳ」）、記憶制御部３５２は、当該記憶要求の発信元である管理用コンピューター４を複数の管理用コンピューター４のうちから判断する（ステップＳ２０２）。
【００３５】
そして、記憶制御部３５２は、当該記憶要求の対象となる設定情報Ｉｍを、発信元の管理用コンピューター４に対応する設定情報記憶部３４１に記憶させる（ステップＳ２０３）。つまり、管理用コンピューター４Ａが発信元であれば、対象の設定情報Ｉｍは設定情報記憶部３４１Ａに記憶され、管理用コンピューター４Ｂが発信元であれば、対象の設定情報Ｉｍは設定情報記憶部３４１Ｂに記憶される。なお、ステップＳ２０３では、当該記憶要求の対象となる設定情報Ｉｍに対応する媒体種Ｍｋが設定情報記憶部３４１の記憶領域Ｒのうちに既に有る場合は、この記憶領域Ｒを上書きすることで、設定情報Ｉｍを設定情報記憶部３４１に記憶させても良い。あるいは、８個の記憶領域Ｒのうち、設定情報Ｉｍの記憶時刻（換言すれば更新時刻）が最も古い記憶領域Ｒを上書きすることで、設定情報Ｉｍを設定情報記憶部３４１に記憶させても良い。
【００３６】
以上に説明した実施形態では、設定情報Ｉｍを記憶可能な設定情報記憶部３４１が管理用コンピューター４毎に設けられている。こうして管理用コンピューター４毎に設定情報記憶部３４１を設けることで、一の管理用コンピューター４により印刷機３に記憶させた設定情報Ｉｍが他の管理用コンピューター４によって上書きされるのを抑制可能となっている。
【００３７】
特に、それぞれ設定情報Ｉｍを記憶可能な複数の設定情報記憶部３４１が、互いに異なる管理用コンピューター４に対応して設けられている。そして、設定情報Ｉｍの記憶が管理用コンピューター４から要求された場合は、複数の設定情報記憶部３４１のうち記憶要求の発信元である管理用コンピューター４に対応する設定情報記憶部３４１に、この記憶要求の対象である設定情報Ｉｍが記憶される。こうして管理用コンピューター４毎に設定情報記憶部を設けることで、一の管理用コンピューター４により印刷機３に記憶させた設定情報Ｉｍが他の管理用コンピューター４によって上書きされるのを抑制可能となっている。
【００３８】
また、印刷機３では、印刷ジョブＪの実行対象となる印刷媒体Ｍの媒体種Ｍｋに応じた設定情報Ｉｍを指定する設定情報指定を入出力部３３が受信すると（ステップＳ１０６）、設定制御部３５１は、この設定情報指定により指定された設定情報Ｉｍを印刷実行部３１に設定する。かかる構成では、入出力部３３が受信した設定情報指定に従って、媒体種Ｍｋに応じた適切な設定情報Ｉｍで印刷ジョブＪを実行することができる。
【００３９】
また、各設定情報記憶部３４１は、それぞれ設定情報Ｉｍを記憶可能な複数の記憶領域Ｒを有し、複数の記憶領域Ｒは、互いに異なる媒体種Ｍｋに対応する設定情報Ｉｍを記憶する。かかる構成では、複数の記憶領域Ｒに記憶された異なる媒体種Ｍｋに対応する設定情報Ｉｍを用いて、多様な媒体種Ｍｋの印刷媒体Ｍに対して適切に印刷ジョブＪを実行できる。
【００４０】
以上のように、上記実施形態では、印刷機３が本発明の「印刷機」の一例に相当し、印刷実行部３１が本発明の「印刷実行部」の一例に相当し、設定情報記憶部３４１が本発明の「設定情報記憶部」の一例に相当し、設定制御部３５１が本発明の「設定制御部」の一例に相当し、記憶制御部３５２が本発明の「記憶制御部」の一例に相当し、入出力部３３が本発明の「受信部」の一例に相当し、管理用コンピューター４が本発明の「管理装置」の一例に相当し、ＲＩＰ２が本発明の「ジョブ生成装置」の一例に相当し、印刷ジョブＪが本発明の「印刷ジョブ」の一例に相当し、印刷媒体Ｍが本発明の「印刷媒体」の一例に相当し、媒体種Ｍｋが本発明の「媒体種」の一例に相当し、設定情報Ｉｍが本発明の「設定情報」の一例に相当し、記憶領域Ｒが本発明の「記憶領域」の一例に相当する。
【００４１】
なお、本発明は上記実施形態に限定されるものではなく、その趣旨を逸脱しない限りにおいて上述したものに対して種々の変更を加えることが可能である。例えば、印刷システム１において印刷機３に接続される管理用コンピューター４の台数は、２台に限れられず、３台以上であっても良い。
【００４２】
また、ＲＩＰ２の台数は２台に限られず、１台であっても、３台以上であっても良い。
【００４３】
また、印刷システム１が備える印刷機３の台数は１台に限られず、２台以上であっても良い。この際、複数の印刷機３のそれぞれが上記の印刷機３と同様の構成を具備すると良い。
【００４４】
また、上述の例では、１台の管理用コンピューター４が１台のＲＩＰ２を制御していた。しかしながら、例えば１台の管理用コンピューター４により複数台のＲＩＰ２を制御するように構成しても構わない。
【００４５】
また、上述の例では、入出力部３３は、ＲＩＰ２から管理用コンピューター４を介して設定情報指定を受信していた（ステップＳ１０６）。しかしながら、入出力部３３は、ＲＩＰ２から他の装置を介さずに設定情報指定を直接受信しても良い。具体的には、ＲＩＰ２からの印刷ジョブＪに設定情報指定を含ませても良い。
【００４６】
また、上述では、記憶手段３４に複数の設定情報記憶部３４１を構築する態様については特に説明しなかった。しかしながら、設定情報記憶部３４１を記憶手段３４に構築する態様は種々考えられる。例えば、新たな管理用コンピューター４がネットワーク５を介して印刷機３にアクセスした際に、当該管理用コンピューター４に対応する設定情報記憶部３４１を記憶制御部３５２が記憶手段３４に構築しても良い。
【符号の説明】
【００４７】
２…ＲＩＰ（ジョブ生成装置）、３…印刷機、３１…印刷実行部、３３…入出力部（受信部）、３４１…設定情報記憶部、３５１…設定制御部、３５２…記憶制御部、４…管理用コンピューター（管理装置）、Ｊ…印刷ジョブ、Ｍ…印刷媒体、Ｍｋ…媒体種、Ｉｍ…設定情報、Ｒ…記憶領域、Ｓ２０１〜Ｓ２０３…印刷機の設定情報記憶部に設定情報を記憶するための各ステップ
【図１】
2018079654.tif 000003
【図２】
2018079654.tif 000004
【図３】
2018079654.tif 000005
【図４】
2018079654.tif 000006
【図５】
2018079654.tif 000007
【図６】
2018079654.tif 000008